【手続補正書】
【提出日】平成16年8月27日(2004.8.27)
【手続補正１】
【補正対象書類名】明細書
【補正対象項目名】発明の名称
【補正方法】変更
【補正の内容】
【発明の名称】計算機システムの制御方法及びデータコピー方法
【手続補正２】
【補正対象書類名】明細書
【補正対象項目名】特許請求の範囲
【補正方法】変更
【補正の内容】
【特許請求の範囲】
【請求項１】
１つまたは複数の記憶装置と、前記記憶装置の１つまたは複数の記憶領域を提供する１つまたは複数の制御装置と、前記記憶領域を仮想化した記憶領域を提供するための情報を管理する計算機とを備える計算機システムの制御方法において、前記計算機が有する前記記憶領域を提供するための情報は、前記記憶装置が提供する記憶領域と前記仮想化した記憶領域との対応情報を含み、前記制御装置は、前記計算機が有する前記対応情報の全体または一部を保持して前記１つまたは複数の記憶装置の制御を行うことを特徴とする計算機システムの制御方法。
【請求項２】
前記記憶装置は、記憶領域の複製を作成する処理を前記仮想化した記憶領域に基づいて行うことを特徴とする請求項１記載の計算機システムの制御方法。
【請求項３】
前記複製の制御に対する指示が、前記仮想化した記憶領域に基づいて行われることを特徴とする請求項２記載の計算機システムの制御方法。
【請求項４】
前記仮想化した記憶領域に対する複製の作成をグループ化し、前記複製の制御に対する指示が前記グループに基づいて行われることを特徴とする請求項２または３記載の計算機システムの制御方法。
【請求項５】
前記複製の作成先の選択は、前記グループに基づいて行われることを特徴とする請求項４記載の計算機システムの制御方法。
【請求項６】
複数の物理ボリュームとコントローラとを有する少なくとも１の記憶装置と、
仮想ボリュームと該仮想ボリュームに含まれる物理ボリュームとの対応関係を示す第１の対応情報を有する装置とを有するシステムにおけるデータコピー方法であって、
前記装置は、仮想ボリュームを指定したデータコピー要求を計算機より受信し、
前記装置は、指定された前記仮想ボリュームに対応付けられた物理ボリュームを有する少なくとも１の記憶装置を、前記第１の対応情報を参照して特定し、
前記装置は、特定された記憶装置に前記仮想ボリュームを指定したデータコピー要求を送信し、
前記装置からデータコピー要求を受信した記憶装置は、該記憶装置が有する物理ボリュームと該物理ボリュームが含まれる仮想ボリュームとの対応関係を示す、該記憶装置が有する第２の対応情報を参照して、受信したデータコピー要求で指定された前記仮想ボリュームと対応付けられている少なくとも１のコピー元物理ボリュームを特定し、
前記記憶装置は、特定されたコピー元物理ボリュームに対応付けられているコピー先物理ボリュームを特定し、該コピー元物理ボリュームに格納されているデータを該コピー先物理ボリュームにコピーすることを特徴とするデータコピー方法。
【請求項７】
請求項６記載のデータコピー方法であって、更に、
前記装置は、各記憶装置について、該記憶装置が有する物理ボリュームと、該物理ボリュームが含まれる仮想ボリュームとの対応関係を示す対応情報を、前記第１の対応情報を参照して選択し、選択された対応情報を該記憶装置に送信し、
対応情報を受信した記憶装置は、受信した対応情報に基づいて、第２の対応情報を設定することを特徴とするデータコピー方法。
【請求項８】
請求項６記載のデータコピー方法であって、
前記システムには複数の記憶装置が含まれており、
前記仮想ボリュームには、各々異なる記憶装置に含まれている複数の物理ボリュームが含まれており、
前記装置は、前記仮想ボリュームを指定したデータコピー要求を、該仮想ボリュームに含まれる物理ボリュームを有する複数の記憶装置宛に送信することを特徴とするデータコピー方法。
【請求項９】
複数の物理ボリュームとコントローラとを有する、少なくとも１の記憶装置と、
グループと、該グループに属する仮想ボリュームと、該仮想ボリュームに含まれる物理ボリュームとの対応関係を示す第１の対応情報を有する装置とを有するシステムにおけるデータコピー方法であって、
前記装置は、複数のコピー元仮想ボリューム及びコピー先仮想ボリュームのペアを含むグループを指定したデータコピー要求を受信し、
前記装置は、前記グループに属する複数のコピー元仮想ボリュームに含まれる物理ボリュームを有する、少なくとも１の記憶装置を、前記第１の対応情報を参照して特定し、
前記装置は、特定された記憶装置に前記グループを指定したデータコピー要求を送信し、
前記装置からデータコピー要求を受信した記憶装置は、受信したデータコピー要求によって指定されるグループに属するソース仮想ボリュームに対応付けられたソース物理ボリュームを、該記憶装置が有する物理ボリュームと、該物理ボリュームに対応付けられた仮想ボリュームと、該仮想ボリュームが属するグループとの対応関係を示す第２の対応情報を参照して特定し、
前記記憶装置は、特定されたソース物理ボリュームに対応付けられたターゲット物理ボリュームを特定して、該ソース物理ボリュームに格納されているデータを該ターゲット物理ボリュームにコピーすることを特徴とするデータコピー方法。
【手続補正３】
【補正対象書類名】明細書
【補正対象項目名】０００１
【補正方法】変更
【補正の内容】
【０００１】
【発明の属する技術分野】
本発明は、計算機システムの制御方法及びデータコピー方法に係り、特に、バックアップ処理等を伴う仮想化されたボリュームのスナップショットを作成する情報処理システムの制御方法及びデータコピー方法に関する。
【手続補正４】
【補正対象書類名】明細書
【補正対象項目名】００１１
【補正方法】変更
【補正の内容】
【００１１】
本発明の目的は、前述した従来技術の問題点を解決し、記憶領域の仮想化を行う情報処理システムにおいて、記憶装置システムでの処理の管理及び制御を仮想化された記憶領域に基づいて行うことを可能にした計算機システムの制御方法及びデータコピー方法を提供することにあり、特に、記憶装置システムでのスナップショット作成、管理及び制御を仮想化された記憶領域に基づいて独立に行うことができる計算機システムの制御方法及びデータコピー方法を提供することにある。
【手続補正５】
【補正対象書類名】明細書
【補正対象項目名】００１２
【補正方法】変更
【補正の内容】
【００１２】
また、本発明の他の目的は、記憶領域の仮想化を行う情報処理システムにおいて、記憶装置システムでの処理の管理及び制御についての指示を仮想化された記憶領域に基づいて行うことができる計算機システムの制御方法及びデータコピー方法を提供することにある。
【手続補正６】
【補正対象書類名】明細書
【補正対象項目名】００１４
【補正方法】変更
【補正の内容】
【００１４】
また、前記目的は、複数の物理ボリュームとコントローラとを有する少なくとも１の記憶装置と、仮想ボリュームと該仮想ボリュームに含まれる物理ボリュームとの対応関係を示す第１の対応情報を有する装置とを有するシステムにおけるデータコピー方法であって、前記装置は、仮想ボリュームを指定したデータコピー要求を計算機より受信し、前記装置は、指定された前記仮想ボリュームに対応付けられた物理ボリュームを有する少なくとも１の記憶装置を、前記第１の対応情報を参照して特定し、前記装置は、特定された記憶装置に前記仮想ボリュームを指定したデータコピー要求を送信し、前記装置からデータコピー要求を受信した記憶装置は、該記憶装置が有する物理ボリュームと該物理ボリュームが含まれる仮想ボリュームとの対応関係を示す、該記憶装置が有する第２の対応情報を参照して、受信したデータコピー要求で指定された前記仮想ボリュームと対応付けられている少なくとも１のコピー元物理ボリュームを特定し、前記記憶装置は、特定されたコピー元物理ボリュームに対応付けられているコピー先物理ボリュームを特定し、該コピー元物理ボリュームに格納されているデータを該コピー先物理ボリュームにコピーすることにより達成される。
【手続補正７】
【補正対象書類名】明細書
【補正対象項目名】００１５
【補正方法】変更
【補正の内容】
【００１５】
また、前記目的は、複数の物理ボリュームとコントローラとを有する、少なくとも１の記憶装置と、グループと、該グループに属する仮想ボリュームと、該仮想ボリュームに含まれる物理ボリュームとの対応関係を示す第１の対応情報を有する装置とを有するシステムにおけるデータコピー方法であって、前記装置は、複数のコピー元仮想ボリューム及びコピー先仮想ボリュームのペアを含むグループを指定したデータコピー要求を受信し、前記装置は、前記グループに属する複数のコピー元仮想ボリュームに含まれる物理ボリュームを有する、少なくとも１の記憶装置を、前記第１の対応情報を参照して特定し、前記装置は、特定された記憶装置に前記グループを指定したデータコピー要求を送信し、前記装置からデータコピー要求を受信した記憶装置は、受信したデータコピー要求によって指定されるグループに属するソース仮想ボリュームに対応付けられたソース物理ボリュームを、該記憶装置が有する物理ボリュームと、該物理ボリュームに対応付けられた仮想ボリュームと、該仮想ボリュームが属するグループとの対応関係を示す第２の対応情報を参照して特定し、前記記憶装置は、特定されたソース物理ボリュームに対応付けられたターゲット物理ボリュームを特定して、該ソース物理ボリュームに格納されているデータを該ターゲット物理ボリュームにコピーすることにより達成される。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
【発明の実施の形態】
以下、本発明による計算機システムの制御方法及びデータコピー方法の実施形態を図面により詳細に説明する。